(57)【特許請求の範囲】
【請求項１】
機器が取り付けられる取付部と、この取付部を支持する支持部と、この支持部に取り付けられる角度調整部材とを備えたスタンド装置であって、
前記取付部と前記支持部とは一体に形成され、前記角度調整部材は外形がほぼ楕円筒形状に形成されており、
前記支持部は、それぞれが形状の異なる第１突起部と第２突起部を備え、第１突起部は第２突起部よりも突出長さが長く形成され、
前記角度調整部材は、前記第１突起部と前記第２突起部とがそれぞれ挿入される第１嵌合孔と前記第１嵌合孔を中心とする円弧上の位置に複数の第２嵌合孔とが形成されていることを特徴とするスタンド装置。
【発明の詳細な説明】
【０００１】
【発明の属する技術分野】
この発明は、機器を傾けて配置するためのスタンド装置に関する。
【０００２】
【従来の技術】
例えば、置き時計、携帯型の液晶テレビなどの卓上タイプの機器においては、機器本体の裏面や側面などにスタンドの一端部を回動可能に取り付け、使用するときに、スタンドを回動させて機器本体から突出させることにより、この突き出したスタンドで機器本体を卓上などの載置面上に傾けて配置するように構成されている。
【０００３】
【発明が解決しようとする課題】
しかしながら、このような機器では、機器本体が大型化したり、重量が重くなったりすると、これに伴ってスタンドの構造も大掛かりなものになる。特に、機器本体の傾きを調整する調整機能を備えたスタンドを採用すると、その構造がより一層複雑になるという問題がある。
【０００４】
この発明の課題は、簡単な構造で、機器の傾き角度を調整できるスタンド装置を提供することである。
【０００５】
【課題を解決するための手段】
この発明は、機器が取り付けられる取付部と、この取付部を支持する支持部と、この支持部に取り付けられる角度調整部材とを備えたスタンド装置であって、前記取付部と前記支持部とは一体に形成され、前記角度調整部材は外形がほぼ楕円筒形状に形成されており、前記支持部は、それぞれが形状の異なる第１突起部と第２突起部を備え、第１突起部は第２突起部よりも突出長さが長く形成され、前記角度調整部材は、前記第１突起部と前記第２突起部とがそれぞれ挿入される第１嵌合孔と前記第１嵌合孔を中心とする円弧上の位置に複数の第２嵌合孔とが形成されていることを特徴とする。この発明によれば、前記取付部と前記支持部とは一体に形成されていることにより、その製造が容易で、部品点数も少なく、より一層、構造の簡素化を図ることができる。また、前記角度調整部材は、外形がほぼ楕円筒形状に形成されていることにより、支持部に対する角度調整部材の取付位置を変えると、ほぼ楕円筒形状の角度調整部材の傾きが変わり、これにより支持部の一端部の高さが変わるので、取付部の傾きを変えることができ、取付部に取り付けられた機器の傾き角度を容易に調整することができる。また角度調整部材がほぼ楕円筒形状であることにより、卓上などの載置面上に角度調整部材をガタ付くことなく良好に接触させて配置することができる。
【０００７】
【発明の実施の形態】
以下、図１〜図８を参照して、この発明のスタンド装置の一実施形態について説明する。
図１はスタンド装置の側面図、図２はその正面図、図３はその背面図、図４は底面図である。このスタンド装置は、機器１が取り付けられる取付部２と、この取付部２を支持する一対の支持部３とを合成樹脂によって一体に形成し、これら一対の支持部３に１つの角度調整部材４を取り付けた構造になっている。
【０００８】
すなわち、取付部２は、図２の正面図で示すように、ほぼ平板状に形成されており、その下端部には、図１に示すように、機器１の下面を載置する載置部５がほぼ直角に前方（図１では左方）に向けて突出して形成されている。この載置部５の上面には、機器１の下面が当接する当接突起５ａが形成されている。また、この取付部２の前面（図１では左側面）における上部には、係止フック部６が前方に突出して形成されている。この係止フック部６は、図８に示すように、機器１の背面側に設けられた後述する係合凹部７に挿入して係脱可能に係合するように構成されている。なお、取付部２の背面における両側部分には、補強用のリブ８、８が上下方向に沿って形成されている。
【０００９】
一対の支持部３は、図１〜図４に示すように、それぞれ帯板をほぼＶ字形状に折り返して横に寝かした形状のもので、図１に示すように、それぞれ上片部９と下片部１０とからなり、一対の上片部９の各前端部が連結部９Ａで連結され、その上部に取付部２の載置部５が図２および図３に示すように一体に形成された構造になっている。この場合、上片部９と下片部１０との各下面における長手方向に沿う両側縁には、図２および図４に示すように、補強用のリブ１１が下側に突出して形成されている。また、上片部９と下片部１０とは、前述したごとくＶ字形状に折り返してあるもので、その各前端側（図１では左端側）における上下方向の間隔が後端部側よりも大きく形成されている。これにより、一対の支持部３は、図１に示すように、各下片部１０のリブ１１が卓上などの載置面１２上に載置されると、上片部９が前上がり（同図では左上がり）に傾斜し、これに伴って取付部２が後方（同図では右側）に向けて傾くように構成されている。
【００１０】
また、一対の支持部３は、その各下片部１０の前端部が互いに接近離間する方向（図２および図３では左右方向）に弾性変形可能に構成されている。そして、これら各下片部１０の先端側に位置するリブ１１の外側面には、図３および図４に示すように、円柱状の第１突起１３と矩形状の第２突起１４とがそれぞれ形成されている。この場合、円柱状の第１突起１３は、矩形状の第２突起１４よりも突出長さが長く形成され、かつその先端がそれぞれ円弧状に尖った形状に形成されている。また、矩形状の第２突起１４は、図１および図５に示すように、下片部１０の先端部に位置して形成されており、円柱状の第１突起１３は、第２突起１４よりも後側（同図では右側）に位置して形成されている。
【００１１】
一方、角度調整部材４は、図１〜図４に示すように、ほぼ楕円筒形状に形成されている。すなわち、この角度調整部材４は、そのほぼ上側半分が半楕円筒壁１５に形成され、ほぼ下側半分が開放され、かつ半楕円筒壁１５の両端に楕円形状の外壁部１６がそれぞれ形成され、これら外壁部１６から内側に所定間隔を置いて各取付壁１７がそれぞれ外壁部１６とほぼ平行に形成された構造になっている。この場合、半楕円筒壁１５は、図２に示すように、その左右方向の長さが一対の支持部３の間隔よりも長く形成されている。また、各取付壁１７は、図３および図４に示すように、一対の支持部３の最外面に位置するリブ１１間の間隔とほぼ同じ間隔で形成されている。
【００１２】
そして、この角度調整部材４内には、図１および図４に示すように、一対の支持部３における各下片部１０の前端部が下側の開放された部分から挿入され、この挿入された各下片部１０の前端部が角度調整部材４の各取付壁１７のほぼ中心に位置するように配置されている。この場合、各取付壁１７には、図１および図５に示すように、各下片部１０の前端部の第１突起１３と第２突起１４とがそれぞれ挿入する第１嵌合孔１８と第２嵌合孔１９ａ、１９ｂとが形成されている。第１嵌合孔１８は、円柱状の第１突起１３が嵌合する円形状の孔で、取付壁１７の後端側（図５では右端側）の１か所に設けられている。第２嵌合孔１９ａ、１９ｂは、それぞれ矩形状の第２突起１４が選択的に嵌合する矩形状の孔で、取付壁１７の中央寄り、つまり第１嵌合孔１８よりも前側に位置する上下の２か所に設けられている。すなわち、これら第２嵌合孔１９ａ、１９ｂは、第１嵌合孔１８を中心とする円弧上に位置する箇所にそれぞれ設けられている。
【００１３】
ところで、このスタンド装置に載置される機器１は、例えば、図８に断面図で示してあるような携帯型の液晶テレビであり、機器ケース２０を備えている。この機器ケース２０の前面には、液晶表示パネル２１が見切り枠２２を介して取り付けられており、この機器ケース２０の背面には、収納凹部２３が設けられている。この収納凹部２３には、機器１をそれ自身で卓上などの載置面１２上に傾けて立てるためのスタンド部２４が軸２５により回動可能に取り付けられている。このスタンド部２４は、使用しないときに収納凹部２３内に収納され、使用するときに機器ケース２０の背面から突出するように構成されている。また、この機器ケース２０の背面における収納凹部２３には、スタンド装置の取付部２に設けられた係止フック部６がスタンド部２４の貫通孔２４ａを通して挿入することにより係脱可能に係合する係合凹部７が設けられている。なお、機器ケース２０の内部には、テレビ機能に必要な各種の電子部品（図示せず）が組み込まれている。
【００１４】
次に、このようなスタンド装置を使用する場合について説明する。
まず、一対の支持部３の各下片部１０を互いに接近する方向に弾性変形させて、各下辺部の前端部の間隔を角度調節部材４の各取付壁１７の間隔よりも狭くする。この状態で、各下辺部１０の前端部を角度調整部材４内に挿入し、各下辺部１０の前端部の第１突起１３を図６に示すように各取付壁１７の第１嵌合孔１８に挿入するとともに、各下辺部１０の前端部の第２突起１４を各取付壁１７の第２嵌合孔１９ａ、１９ｂのいずれかに挿入する。このとき、例えば、図１および図５に示すように、各下辺部１０の第２突起１４を各取付壁１７における下側の第２嵌合孔１９ａに挿入すると、第１、第２突起１３、１４により角度調整部材４が各下片部１０に取り付けられる。
【００１５】
そして、角度調整部材４の両側に位置する各外壁部１６の外周の一部が載置面１２上に接触して配置されると、ほぼ楕円筒形状の角度調整部材４が載置面１２上にほぼ横に寝かした状態となる。この状態では、載置面１２から第２嵌合孔１９ａまでの高さだけ、各下片部１０の前端部が上方に位置する。これにより、図１に示すように、一対の支持部３が前上がりに傾き、これに伴って取付部２が後方に向けて傾くことになる。この状態で、機器１の機器ケース２０を取付部２の載置部５上に載置し、かつ取付部２の係止フック部６を機器ケース２０の係合凹部７にスタンド部２４の貫通孔２４ａを通して挿入すると、係止フック部６が係合凹部７内に係合し、これにより機器１が取付部２に取り付けられるとともに、取付部２の後方への傾きに応じて機器１を傾けることができる。
【００１６】
また、例えば、図７に示すように、角度調整部材４内に挿入された一対の支持部３の各下辺部１０の第１突起１３を各取付壁１７の第１嵌合孔１８に挿入するとともに、各下辺部１０の前端部の第２突起１４を各取付壁１７の第２嵌合孔１９ａ、１９ｂのうち、上側の第２嵌合孔１９ｂに挿入すると、第１、第２突起１３、１４により角度調整部材４が各下片部１０に取り付けられ、ほぼ楕円筒形状の角度調整部材４が載置面１２上に傾いて起立した状態となる。このため、載置面１２から第２嵌合孔１９ｂまでの高さが上記のときよりも高くなり、各下片部１０の前端部がさらに上方に位置する。これにより、図７に示すように、一対の支持部３がさらに前上がりに傾き、これに伴って取付部２がより一層後方に傾く。このため、この取付部２の後方への傾きに応じて機器１をさらに傾けることができる。
【００１７】
このように、このスタンド装置によれば、取付部２を支持する一対の支持部３の各下片部１０の前端部に設けられた第１、第２突起１３、１４を角度調整部材４の取付壁１７の第１、第２嵌合孔１８、１９ａ、１９ｂに挿入させることにより、一対の支持部３の各下片部１０の前端部に角度調整部材４を取り付けるので、その構造および取付作業が簡単であり、しかも角度調整部材４をその高さを変えて一対の支持部３の各下片部１０の前端部に取り付けることにより、一対の支持部３および取付部２の傾きを変えることができ、これにより取付部２の傾きに応じて取付部２に取り付けられた機器１の傾き角度を容易に調整することができる。
【００１８】
また、このスタンド装置によれば、取付部２と一対の支持部３とが合成樹脂によって一体に形成されているので、その製造が容易で、部品点数も少なく、より一層、構造の簡素化を図ることができる。また、角度調整部材４がほぼ楕円筒形状に形成されていることにより、一対の支持部３に対する角度調整部材４の取付位置を変えて楕円筒形状の角度調整部材４の傾きを変えるだけで、一対の支持部３における各下片部１０の前端部の高さを変えることができ、これにより一対の支持部３および取付部２の傾きを変えることができ、しかも角度調整部材４の外壁部１６が楕円筒形状であることにより、卓上などの載置面１２に角度調整部材４をガタ付くことなく滑らかに接触させて配置することができる。
【００１９】
なお、上記実施形態では、第２嵌合孔１９ａ、１９ｂを２個所に設けたが、３個所以上に設けて高さを更に微調整できるようにしても良い。また、角度調整部材４をほぼ楕円筒形状に形成したが、必ずしも楕円筒形状である必要はなく、長方形や菱形など径の長さが異なれば良いものである。
また、上記実施形態では、一対の支持部３の各下片部１０に矩形状の第２突起１４を形成し、角度調整部材４の各取付壁１７に矩形状の第２嵌合孔１９ａ、１９ｂを設けたが、必ずしも第２突起１４および第２嵌合孔１９ａ、１９ｂを矩形状に形成する必要はなく、円形状や楕円状でも良く、また三角形状、四角形状などの多角形状であっても良い。
さらに、上記実施形態では、機器１として、携帯型の液晶テレビに適用した場合について述べたが、これに限らず、卓上型の電子式計算機や携帯型のゲーム機などの電子機器、あるいは携帯電話や置き時計など、他の電子機器にも広く適用することができ、また電子機器ではなく、例えば、人形や、写真、絵画等のインテリア商品のスタンド装置として使用するものであっても良い。
【００２０】
【発明の効果】
以上説明したように、この発明によれば、取付部と支持部とを一体に形成することにより、その製造が容易で、部品点数も少なく、より一層、構造の簡素化を図ることができる。また、角度調整部材がほぼ楕円筒形状に形成されていることにより、支持部に対する角度調整部材の取付位置を変えてほぼ楕円筒形状の角度調整部材の傾きを変えるだけで、支持部の一端部の高さを変えることができ、これにより支持部および取付部の傾きを変えることができ、取付部に取り付けられた機器の傾き角度を容易に調整することができるとともに、角度調整部材がほぼ楕円筒形状であることにより、卓上などの載置面上に角度調整部材をガタ付くことなく良好に接触させて配置することができる。
【図面の簡単な説明】
【図１】この発明のスタンド装置の一実施形態を示した側面図。
【図２】図１の正面図。
【図３】図１の背面図。
【図４】図１の底面図。
【図５】図１の要部の拡大断面図。
【図６】図５のＡ−Ａ矢視における拡大断面図。
【図７】図１の支持部に対する角度調整部材の取付位置を変えた状態の側面図。
【図８】図１の取付部に取り付けられた状態の機器の要部を示した拡大断面図。
【符号の説明】
１  機器
２  取付部
３  支持部
４  角度調整部材
１３  第１突起
１４  第２突起
１６  楕円形状の外壁部
１８  第１嵌合孔
１９ａ、１９ｂ  第２嵌合孔
【図１】
0003945125.tif 000002
【図２】
0003945125.tif 000003
【図３】
0003945125.tif 000004
【図４】
0003945125.tif 000005
【図５】
0003945125.tif 000006
【図６】
0003945125.tif 000007
【図７】
0003945125.tif 000008
【図８】
0003945125.tif 000009